(57)【特許請求の範囲】
【請求項１】
送風ファンから送られて吹出し部から吹出される空気の流れを制御するルーバを有する
空気清浄機において、
螺旋形状を有するダクトと螺旋形状を有しないダクトとを含む複数のダクトを備え、
前記吹出し部は、前記螺旋形状を有するダクトと前記螺旋形状を有しないダクトの吹出し側が合流するように設けられ、
前記螺旋形状を有するダクトの吹出し側は、前記吹出し部に向って直線的に吹出すように配置され、
前記螺旋形状を有しないダクトの吹出し側は、前記螺旋形状を有するダクトの吹出し側の下方より前記吹出し部に向って吹出すように配置され、
前記ルーバは、前記螺旋形状を有するダクトと前記螺旋形状を有しないダクトのうちの何れかのダクトと前記送風ファンとを連通するように切換え可能に設けられ、
前記ルーバを切換えるルーバ制御手段を備えることを特徴とする空気清浄機。
【請求項２】
送風ファンから送られて吹出し部から吹出される空気の流れを制御するルーバを有する空気清浄機を備えた画像形成装置において、
前記空気清浄機を画像形成装置本体の上方に配置し、
前記空気清浄機として、螺旋形状を有するダクトと螺旋形状を有しないダクトとを含む複数のダクトを備え、前記吹出し部を、前記螺旋形状を有するダクトと前記螺旋形状を有しないダクトの吹出し側が合流するように設け、前記螺旋形状を有するダクトの吹出し側を、前記吹出し部に向って直線的に吹出すように配置し、前記螺旋形状を有しないダクトの吹出し側を、前記螺旋形状を有するダクトの吹出し側の下方より前記吹出し部に向って吹出すように配置し、前記ルーバを、前記螺旋形状を有するダクトと前記螺旋形状を有しないダクトのうちの何れかのダクトと前記送風ファンとを連通するように切換え可能に設け、前記ルーバを切換えるルーバ制御手段を備える空気清浄機を用いることを特徴とする画像形成装置。
【発明の詳細な説明】
【技術分野】
【０００１】
本発明は、空気清浄機とこれを用いる画像形成装置に係り、特に、空気清浄機とこれを備えた複写機、プリンタ、ファクシミリ装置等の画像形成装置に関する。
【背景技術】
【０００２】
従来から、複写機、プリンタ及びファクシミリ等の電子写真方式の画像形成装置が知られている。電子写真方式の画像形成装置は、感光体ドラム（トナー像担持体）の表面に静電潜像を形成し、現像装置によって感光体ドラムに対してトナーを供給して前記静電潜像を現像し、現像によって感光体ドラムに形成されたトナー像を記録用紙等に転写して、定着装置によって記録用紙にトナー像を定着させるようになっている。
【０００３】
このような画像形成装置においては、画像形成を行うに際し、排出ガスが生じることがある。この排出ガスの主成分は、記録用紙から発生すると推定されるロンギフォレン等である。このような排出ガスを放置していたのでは、画像形成装置１００の利用者に対して好ましくない。
【０００４】
そこで、このような問題の対策として、画像形成装置に空気清浄機を取付けて、画像形成装置付近の環境状態を良好にすることが考えられる。
【０００５】
空気清浄機は、一般に、空気清浄機から遠くあるいは近くに送風するにはファンの回転数を変更することで対応している。そして、通常、送風するルーバの幅は一定に構成されている。
【０００６】
また、従来技術として、空気清浄機の送風方向を変更するために、回転可能なルーバを備えたものが開示されている（特許文献１を参照）。
【先行技術文献】
【特許文献】
【０００７】
【特許文献１】特開２００９−１８２２１号公報
【発明の概要】
【発明が解決しようとする課題】
【０００８】
しかしながら、特許文献１のような方式では、空気清浄機から遠くへ送風したり、近くに送風したりすることができないという問題があった。
【０００９】
また、空気清浄機から遠くまで送風するためにファンの回転数を上げるように構成すると、音が大きくなったり、消費電力がアップするという問題が生じる。
【００１０】
本発明は、上記従来の問題点に鑑みてなされたものであって、空気清浄機の作動音を大きくすることなく、画像形成装置付近の空気清浄効果を上げて環境状態を良好にでき、また、空気清浄機の消費電力が増加することを軽減できる空気清浄機とこれを用いる画像形成装置を提供することを目的とする。
【課題を解決するための手段】
【００１４】
上述した課題を解決するための本発明に係る空気清浄機は、次の通りである。
本発明は、送風ファンから送られて吹出し部から吹出される空気の流れを制御するルーバを有する空気清浄機において、螺旋形状を有するダクトと螺旋形状を有しないダクトとを含む複数のダクトを備え、前記吹出し部の構成として、前記螺旋形状を有するダクトと前記螺旋形状を有しないダクトの吹出し側が合流するように設け、前記螺旋形状を有するダクトの吹出し側を、前記吹出し部に向って直線的に吹出すように配置し、前記螺旋形状を有しないダクトの吹出し側を、前記螺旋形状を有するダクトの吹出し側の下方より前記吹出し部に向って吹出すように配置し、前記ルーバを、前記螺旋形状を有するダクトと前記螺旋形状を有しないダクトのうちの何れかのダクトと前記送風ファンとを連通するように切換え可能に設け、前記ルーバを切換えるルーバ制御手段を備えることを特徴とするものである。
【００１７】
また、本発明は、送風ファンから送られて吹出し部から吹出される空気の流れを制御するルーバを有する空気清浄機を備えた画像形成装置において、前記空気清浄機を画像形成装置本体の上方に配置し、前記空気清浄機として、螺旋形状を有するダクトと螺旋形状を有しないダクトとを含む複数のダクトを備え、前記吹出し部を、前記螺旋形状を有するダクトと前記螺旋形状を有しないダクトの吹出し側が合流するように設け、前記螺旋形状を有するダクトの吹出し側を、前記吹出し部に向って直線的に吹出すように配置し、前記螺旋形状を有しないダクトの吹出し側を、前記螺旋形状を有するダクトの吹出し側の下方より前記吹出し部に向って吹出すように配置し、前記ルーバを、前記螺旋形状を有するダクトと前記螺旋形状を有しないダクトのうちの何れかのダクトと前記送風ファンとを連通するように切換え可能に設け、前記ルーバを切換えるルーバ制御手段を備える空気清浄機を用いることを特徴とするものである。
【発明の効果】
【００２１】
本発明によれば、送風ファンから送られて吹出し部から吹出される空気の流れを制御するルーバを有する空気清浄機において、螺旋形状を有するダクトと螺旋形状を有しないダクトとを含む複数のダクトを備え、前記吹出し部の構成として、前記螺旋形状を有するダクトと前記螺旋形状を有しないダクトの吹出し側が合流するように設け、前記螺旋形状を有するダクトの吹出し側を、前記吹出し部に向って直線的に吹出すように配置し、前記螺旋形状を有しないダクトの吹出し側を、前記螺旋形状を有するダクトの吹出し側の下方より前記吹出し部に向って吹出すように配置し、前記ルーバを、前記螺旋形状を有するダクトと前記螺旋形状を有しないダクトのうちの何れかのダクトと前記送風ファンとを連通するように切換え可能に設け、前記ルーバを切換えるルーバ制御手段を備えることで、周辺に空気を放出する場合は、前記ルーバを、螺旋形状を有しないダクト（例えば、ストレートダクト）に送風するように切換え、一方、遠くに、且つ、短時間で空気を放出する場合は、前記ルーバを、螺旋形状を有するダクトに送風するように切換えることができ、１つの送風ファンで複数通りの送風の制御を行うことができる。これにより、空気清浄機の作動音を大きくすることなく、空気清浄機からの空気の吹出し状態を変更することができ、また、空気清浄機の消費電力が増加することを軽減できる。
【００２４】
また、本発明によれば、送風ファンから送られて吹出し部から吹出される空気の流れを制御するルーバを有する空気清浄機を備えた画像形成装置において、前記空気清浄機を画像形成装置本体の上方に配置し、前記空気清浄機として、螺旋形状を有するダクトと螺旋形状を有しないダクトとを含む複数のダクトを備え、前記吹出し部を、前記螺旋形状を有するダクトと前記螺旋形状を有しないダクトの吹出し側が合流するように設け、前記螺旋形状を有するダクトの吹出し側を、前記吹出し部に向って直線的に吹出すように配置し、前記螺旋形状を有しないダクトの吹出し側を、前記螺旋形状を有するダクトの吹出し側の下方より前記吹出し部に向って吹出すように配置し、前記ルーバを、前記螺旋形状を有するダクトと前記螺旋形状を有しないダクトのうちの何れかのダクトと前記送風ファンとを連通するように切換え可能に設け、前記ルーバを切換えるルーバ制御手段を備える空気清浄機を用いることで、画像形成装置周辺全体に空気清浄機からの空気を放出する場合は、広範囲に渡り空気を吹出すようにし、また、遠くに短時間で空気を放出する場合は、遠くへ空気を送り出すことができる。これにより、画像形成装置付近の空気清浄効果を上げて環境状態を良好にできる。
【図面の簡単な説明】
【００２５】
【図１】本発明の第１実施形態に係る空気清浄機を備えた画像形成装置の全体の構成を示す説明図である。
【図２】（ａ）は前記空気清浄機により画像形成装置周辺に送風する状態を示す説明図、（ｂ）は前記空気清浄機により画像形成装置から遠くに渡り送風する状態を示す説明図である。
【図３】前記空気清浄機の構成を示す説明図である。
【図４】前記空気清浄機を構成するイオン発生器のイオン発生素子の構成を示す説明図である。
【図５】（ａ）は前記空気清浄機のルーバの吹出し口の開口幅を狭くした状態を示す説明図、（ｂ）は前記吹出し口の開口幅を広くした状態を示す説明図、（ｃ）は前記ルーバを平行にして吹出し方向を設定した状態を示す説明図である。
【図６】本発明の第２実施形態に係る空気清浄機の構成を示す説明図である。
【図７】本発明の第３実施形態に係る空気清浄機を備えた画像形成装置の全体の構成を示す説明図である。
【図８】第３実施形態に係る画像形成装置の空気清浄機による空気の吹出し動作を示すフローチャートである。
【図９】第３実施形態の変形例の空気清浄機による空気の吹出し動作を示すフローチャートである。
【発明を実施するための形態】
【００２６】
（第１実施形態）
以下、本発明の実施形態について図面を参照して詳細に説明する。
図１は発明を実施する形態の一例であって、本発明の第１実施形態に係る空気清浄機を備えた画像形成装置の全体の構成を示す説明図である。
【００２７】
本実施形態に係る画像形成装置１００は、図１に示すように、空気清浄機７１を備えた画像形成装置であって、空気清浄機７１の構成として、本発明に係る特徴的な空気清浄機の構成を備えて、その空気清浄機７１を制御する構成を備えたものである。
【００２８】
まず、本実施形態に係る画像形成装置１００の全体構成について説明する。
画像形成装置１００は、図１に示すように、原稿読取り装置１０１により読取られた原稿の画像又は外部から受信した画像をカラーもしくは単色で記録用紙に記録形成するものである。
【００２９】
原稿読取り装置１０１は、原稿搬送部４２により搬送されている原稿画像を読取る。
原稿搬送部４２では、原稿が原稿セットトレイ４１にセットされると、原稿ピックアップローラ４４が原稿表面に押し付けられて回転され、原稿が原稿セットトレイ４１から引き出され、原稿がサバキローラ４５と分離パッド４６間を通過して１枚ずつに分離されてから搬送経路４７へと搬送される。
【００３０】
搬送経路４７では、原稿の先端が原稿レジストローラ４９に当接して、原稿の先端が原稿レジストローラ４９と平行に揃えられ、この後に原稿が原稿レジストローラ４９により搬送されて読取りガイド５１と読取りガラス５２間を通過する。更に、原稿は、搬送ローラ５７により搬送され、排紙ローラ５８を介して排紙トレイ５９に排出される。
【００３１】
原稿読取り装置１０１では、原稿が読取りガイド５１と読取りガラス５２間を通過するに際し、第１走査部５３の光源の光が読取りガラス５２を介して原稿表面に照射され、その反射光が読取りガラス５２を介して第１走査部５３に入射し、この反射光が第１及び第２走査部５３、５４のミラーで反射されて結像レンズ５５へと導かれ、結像レンズ５５によって原稿の画像がＣＣＤ（Charge Coupled Device）５６上に結像される。
ＣＣＤ５６は、原稿の画像を読取り、原稿の画像を示す画像データを出力する。
【００３２】
また、原稿読取り装置１０１は、原稿台ガラス６１上に載置された原稿を読取ることができる。
【００３３】
すなわち、原稿搬送部４２は、原稿読取り装置１０１の背面側で開閉可能に枢支されており、この原稿搬送部４２が開かれると、原稿台ガラス６１が解放されて、原稿台ガラス６１上に原稿を手置きで載置することができる。
【００３４】
原稿が載置されて、原稿搬送部４２が閉じられると、第１及び第２走査部５３、５４が副走査方向に移動されつつ、第１走査部５３によって原稿台ガラス６１上の原稿表面が露光され、第１及び第２走査部５３、５４によって原稿表面からの反射光が結像レンズ５５へと導かれ、結像レンズ５５によって原稿の画像がＣＣＤ５６上に結像される。
【００３５】
このとき、第１及び第２走査部５３、５４が相互に所定の速度関係を維持しつつ移動されて、原稿表面→第１及び第２走査部５３、５４→結像レンズ５５→ＣＣＤ５６という反射光の光路の長さが変化しないように第１及び第２走査部５３、５４の位置関係が常に維持され、これによりＣＣＤ５６上での原稿の画像のピントが常に正確に維持される。
【００３６】
こうして読取られた原稿の画像全体は、画像データとして画像形成装置１００のレーザ露光装置１へと送受され、画像形成装置１００において画像が記録用紙に記録される。
【００３７】
一方、画像形成装置１００は、主にレーザ露光装置１、現像装置２、感光体ドラム３、帯電器５、クリーナ装置４、中間転写ベルト装置８、定着装置１２、用紙搬送経路Ｓ、給紙トレイ１０、及び用紙排出トレイ１５等により構成されている。
【００３８】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。
【００３９】
従って、現像装置２、感光体ドラム３、帯電器５、クリーナ装置４は、各色に応じた４種類の潜像を形成するようにそれぞれ４個ずつ設けられ、それぞれがブラック、シアン、マゼンタ、及びイエローに対応付けられて、４つの画像ステーションＰａ，Ｐｂ，Ｐｃ，Ｐｄが構成されている。
【００４０】
帯電器５は、感光体ドラム３の表面を所定の電位に均一に帯電させるための帯電手段であり、図１に示すようなチャージャ型の他、接触型のローラ型やブラシ型の帯電器などが用いられる。
【００４１】
レーザ露光装置１は、レーザダイオード及び反射ミラーを備えたレーザスキャニングユニット（ＬＳＵ）であり、帯電された感光体ドラム３表面を外部から入力した画像データまたは原稿から読み取って得られた画像データに応じて露光して、その表面に画像データに対応する静電潜像を形成する。
【００４２】
このレーザ露光装置１には、レーザビームを走査するポリゴンミラーと、ポリゴンミラーによって反射されたレーザ光を感光体ドラム３に導くためのレンズやミラー等の光学要素が配置されている。
【００４３】
現像装置２は、それぞれの感光体ドラム３上に形成された静電潜像を（Ｋ，Ｃ，Ｍ，Ｙ）のトナーにより現像するものである。
【００４４】
感光体ドラム３は、円筒状を呈し、画像形成装置１００のほぼ中央で、レーザ露光装置１の上方に配設され、その表面がクリーナ装置４によりクリーニングされ、クリーニングされた表面が帯電器５により均一に帯電される。
【００４５】
クリーナ装置４は、現像及び画像転写後に感光体ドラム３表面に残留したトナーを除去及び回収する。
【００４６】
感光体ドラム３の上方に配置されている中間転写ベルト装置８は、無端状の中間転写ベルト７、中間転写ベルト駆動ローラ２１、従動ローラ２２、中間転写ローラ６、及び中間転写ベルトクリーニング装置９を備えている。中間転写ローラ６は、Ｙ，Ｍ，Ｃ，Ｋの各色に対応して４本設けられている。
【００４７】
中間転写ベルト駆動ローラ２１、中間転写ローラ６、従動ローラ２２等は、中間転写ベルト７を張架して支持し、中間転写ベルト７を矢印Ｃ方向に周回移動させる。
【００４８】
中間転写ローラ６は、中間転写ベルト７近傍に回転可能に支持され、中間転写ベルト７を介して感光体ドラム３に圧接され、感光体ドラム３のトナー像を中間転写ベルト７に転写するための転写バイアスを印加されている。
【００４９】
中間転写ベルト７は、厚さ１００μｍ〜１５０μｍ程度のフィルムを用いて無端ベルト状に形成され、各感光体ドラム３に接触するように設けられている。そして、各感光体ドラム３表面のトナー像を中間転写ベルト７に順次重ねて転写することによって、カラーのトナー像（各色のトナー像）を形成する。
【００５０】
感光体ドラム３から中間転写ベルト７へのトナー像の転写は、中間転写ベルト７裏面に圧接されている中間転写ローラ６によって行われる。
【００５１】
各中間転写ローラ６は、中間転写ベルト７に対して感光体ドラム３のトナー像を中間転写ベルト７上に転写するための転写バイアスを与えるようにされている。詳しくは、中間転写ローラ６には、トナー像を転写するために高電圧の転写バイアス（トナーの帯電極性（−）とは逆極性（＋）の高電圧）が印加されている。
【００５２】
中間転写ローラ６は、直径８〜１０ｍｍの金属（例えばステンレス）軸をベースとし、その表面は、導電性の弾性材（例えばＥＰＤＭ、発泡ウレタン等）により覆われているローラである。この導電性の弾性材により、記録用紙に対して均一に高電圧を印加することができる。尚、本実施形態では、転写電極としてローラ形状の中間転写ローラ６を使用しているが、それ以外にブラシなども用いることが可能である。
【００５３】
上述したように、各感光体ドラム３表面に顕像化されたトナー像は、中間転写ベルト７で積層され、画像データによって示されるカラーのトナー像となる。このように積層された各色のトナー像は、中間転写ベルト７とともに搬送されて、中間転写ベルト７と接触する２次転写装置１１の転写ローラ１１ａによって記録用紙上に転写される。
【００５４】
中間転写ベルト７と２次転写装置１１の転写ローラ１１ａとは相互に圧接されて、ニップ域を形成する。また、２次転写装置１１の転写ローラ１１ａには、中間転写ベルト７上の各色のトナー像を記録用紙に転写させるための２次転写バイアスが印加される。この２次転写バイアスは、トナーの帯電極性（−）とは逆極性（＋）の高電圧である。
【００５５】
さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【００５６】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収するように構成されている。
【００５７】
中間転写ベルトクリーニング装置９は、中間転写ベルト７が搬送される経路上で、中間転写ベルト搬送方向において転写ローラ１１ａより下流側で感光体ドラム３よりも上流側に設けられている。
【００５８】
中間転写ベルトクリーニング装置９には、例えば、クリーニング部材として、中間転写ベルト７に接触して残留トナーを除去するクリーニングブレードが設けられており、クリーニングブレードが接触する部位で、従動ローラ２２により中間転写ベルト７裏側が支持されている。
【００５９】
給紙トレイ１０は、記録用紙を格納しておくためのトレイであり、画像形成装置１００の画像形成部（レーザ露光装置１）の下側に設けられて、トレイ内の記録用紙を供給する。
【００６０】
また、画像形成装置１００には、給紙トレイ１０から供給された記録用紙を２次転写装置１１や定着装置１２を経由させて用紙排出トレイ１５に送るための、Ｓの字形状の用紙搬送経路Ｓが設けられている。この用紙搬送経路Ｓに沿って、用紙ピックアップローラ１６、用紙レジストローラ１４、定着装置１２、及び記録用紙を搬送する搬送ローラ等が配置されている。
【００６１】
用紙ピックアップローラ１６は、給紙トレイ１０の端部に設けられ、給紙トレイ１０から記録用紙を１枚ずつ用紙搬送経路Ｓに供給する呼び込みローラである。搬送ローラは、記録用紙の搬送を促進補助するための小型のローラであり、複数個設けられている。
【００６２】
用紙レジストローラ１４は、搬送されて来た記録用紙を一旦停止させて、記録用紙の先端を揃え、中間転写ベルト７と２次転写装置１１の転写ローラ１１ａ間のニップ域で中間転写ベルト７上のカラーのトナー像が記録用紙の所定の位置に転写されるように、感光体ドラム３及び中間転写ベルト７の回転にあわせて、記録用紙をタイミングよく搬送する。
【００６３】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【００６４】
定着装置１２は、加熱ローラ３１及び加圧ローラ３２等を備えている。加熱ローラ３１及び加圧ローラ３２は、中間転写ベルト７と２次転写装置１１の転写ローラ１１ａ間のニップ域を通過して来た記録用紙を挟み込んで搬送する。
【００６５】
加熱ローラ３１は、図示しない温度検出器の検出出力に基づき、所定の定着温度となるように制御されており、加圧ローラ３２とともに記録用紙を熱圧着することにより、記録用紙に転写されたトナー像を溶融、混合、圧接し、記録用紙に対して熱定着させる機能を有している。
【００６６】
各色のトナー像の定着後の記録用紙は、搬送ローラによって用紙排出トレイ１５上にフェイスダウンで排出される。
【００６７】
次に、第１実施形態に係る特徴的な画像形成装置１００の構成について説明する。
図２（ａ）は第１実施形態に係る空気清浄機により画像形成装置周辺に送風する状態を示す説明図、（ｂ）は前記空気清浄機により画像形成装置から遠くに渡り送風する状態を示す説明図である。
【００６８】
本実施形態の画像形成装置１００は、図１及び図２（ａ），（ｂ）に示すように、画像形成装置１００の本体の上方に空気清浄機７１を備えた画像形成装置である。
【００６９】
画像形成装置１００は、図２（ａ），（ｂ）に示すように、装置本体の背面片側のコーナー１００ａに支柱７２が突設されており、この支柱７２の上端に空気清浄機７１が配置されている。
【００７０】
空気清浄機７１は、支柱７２の上端において、空気清浄機７１の一端側に設けられた支持軸７１ａが矢印Ｆ方向に回転可能に軸支されている。支持軸７１ａは、モータ駆動ユニット７３の出力軸に接続されている。
【００７１】
空気清浄機７１は、モータ駆動ユニット７３により支持軸７１ａが往復回転駆動されることで、矢印Ｆ方向及び逆方向に往復回転され、空気清浄機７１から吹出される正イオン及び負イオンの放出方向が矢印Ｄ方向及び矢印Ｅ方向の何れかの方向に変更されるようになっている。
【００７２】
モータ駆動ユニット７３は、図１に示すように、画像形成装置１００に内蔵の制御部７４に接続され、制御部７４により駆動制御される。図中の符号７５は入力操作を行う操作パネル、７６はネットワークに接続されたインターフェースを示す。
【００７３】
制御部７４は、モータ駆動ユニット７３の制御だけではなく、画像形成装置１００全体の制御を司っており、画像形成装置１００の動作状態に応じてモータ駆動ユニット７３を駆動制御して、図２（ａ），（ｂ）に示すように、空気清浄機７１の回転位置を制御し、空気清浄機７１から吹出されるイオンの放出方向を矢印Ｄ方向及び矢印Ｅ方向の何れかの向きに設定する。
【００７４】
このように、空気清浄機７１に正イオン及び負イオンを発生させるようにして、図２（ａ）に示すように、空気清浄機７１から正イオン及び負イオンを斜め下方（矢印Ｄ方向）に放出することにより、エアーカーテンのように正イオン及び負イオンが主に画像形成装置１００の本体前側を覆って、画像形成装置１００からの排出ガスの臭気が除去することができる。
【００７５】
このように、空気清浄機７１により正イオン及び負イオンを画像形成装置１００の外部から吹きかけることにより、画像形成装置１００が発生する排出ガスの影響を効果的に抑えられることが実験で確認されている。
【００７６】
また、画像形成装置１００の待機状態においては、排出ガスが発生しないため、図２（ｂ）に示すように空気清浄機７１からの正イオン及び負イオンの放出方向を矢印Ｅの上方向に変更して、正イオン及び負イオンを室内全体に流して拡散させ、正イオン及び負イオンにより空気中の浮遊細菌を除去して、空気の浄化を広い範囲で行うようにしている。
【００７７】
次に、第１実施形態の特徴的な空気清浄機７１について図面を参照して詳細に説明する。図３は第１実施形態に係る空気清浄機の構成を示す説明図、図４は前記空気清浄機を構成するイオン発生器のイオン発生素子の構成を示す説明図である。
【００７８】
空気清浄機７１は、図１に示すように、画像形成装置１００の上部に正面視で幅方向に渡り構成されている。そして、空気清浄機７１は、図３に示すように、主に、風を発生させる送風ファン７１１と、イオンを発生させるイオン発生器７１２と、風を送り出すダクト７１３と、風を送り出すルーバ７１４とにより構成されている。
【００７９】
また、空気清浄機７１には、上部に空気の吹出し部７１５が形成され、下部の後側に空気の取込口７１６が形成されている。取込口７１６にはフィルタ７１７が設けられている。
【００８０】
吹出し部７１５は、空気清浄機７１の長手方向に沿って長く開口形成されている。
吹出し部７１５には、ルーバ７１４が設けられている。
ルーバ７１４は、一対の羽板（板状部材）７１４ａ，７１４ｂにより構成されている。
【００８１】
羽板７１４ａ，７１４ｂは、空気清浄機７１の長手方向に渡り配置され、離間して対向配置されることで羽板７１４ａ，７１４ｂの間に空気の吹出し口７１４ｃを形成している。また、羽板７１４ａ，７１４ｂは、対向する先端部７１４ａ１，７１４ｂ１が自由端としてそれぞれ変位可能となるように、他端部７１４ａ２，７１４ｂ２が回転軸心を同一方向にしてそれぞれ回動可能に設けられている。
【００８２】
羽板７１４ａ，７１４ｂの先端部７１４ａ１，７１４ｂ１は、変位することで吹出し口７１４ｃの開口幅が変化するようになっている。
【００８３】
羽板７１４ａ，７１４ｂの他端部７１４ａ２，７１４ｂ２は、図示しない駆動モータに接続されて、制御部７４により動作制御されている。
【００８４】
制御部７４は、図示しない駆動モータにより羽板７１４ａ，７１４ｂの先端部７１４ａ１，７１４ｂ１を回動させることにより吹出し口７１４ｃの開口幅を変更する制御手段（ルーバ制御手段）としての機能を備えるとともに、吹出し口７１４ｃの向きを変位させる機能を備えている。
【００８５】
イオン発生器７１２は、ルーバ７１４よりも送風方向上流側のダクト７１３内に設けられている。イオン発生器７１２は、図４に示すように、イオン発生素子８５を備えている。
【００８６】
イオン発生素子８５は、プラズマクラスターイオン（登録商標）発生素子（ＰＣＩ）であって、本実施形態では、２個のイオン発生素子８５を画像形成装置１００の幅方向に並設されている。
【００８７】
イオン発生素子８５には、正イオンを発生する一対の正イオン発生部８５ａと、負イオンを発生する一対の負イオン発生部８５ｂとが配列されている。
【００８８】
次に、第１実施形態に係る空気清浄機７１による空気の吹出し動作（作用）について図面を参照して説明する。
図５（ａ）は第１実施形態の空気清浄機のルーバの吹出し口の開口幅を狭くした状態を示す説明図、（ｂ）は前記吹出し口の開口幅を広くした状態を示す説明図、（ｃ）は前記ルーバを平行にして吹出し方向を設定した状態を示す説明図である。
【００８９】
空気清浄機７１は、図３に示すように、ルーバ７１４を構成する羽板７１４ａ，７１４ｂを回動させることにより、吹出し口７１４ｃの開口部の開口幅や向きを設定することで、空気の吹き出し方向や強さを変更するようにしている。
【００９０】
具体的には、空気清浄機７１からの空気を遠くへ吹出す場合は、図５（ａ）に示すように、ルーバ７１４を回動して羽板７１４ａ，７１４ｂの先端部７１４ａ１，７１４ｂ１を近づけて吹出し口７１４ｃ開口幅を狭くする。このようすることで、イオン含んだ空気を遠くに速く送り出すことができる。
【００９１】
空気清浄機７１においてイオンを発生した後は、数秒でイオン効果が低下することから、イオン含んだ空気を短時間で遠くに送り出す必要がある。
【００９２】
また、画像形成装置１００付近に空気を吹出す場合は、図５（ｂ）に示すように、羽板７１４ａ，７１４ｂの先端部７１４ａ１，７１４ｂ１を拡開して吹出し口７１４ｃ開口幅を広くする。このようにすることで、画像形成装置１００付近の広い範囲に渡りイオン含んだ空気を吹出すことができる。
【００９３】
また、空気清浄機７１からの空気の吹出しを方向付ける場合は、図５（ｃ）に示すように、羽板７１４ａ，７１４ｂを略平行に回動させることで、吹出し口７１４ｃから吹出される空気の吹出し方向を方向付けすることができる。吹出し口７１４ｃを、図５（ｃ）に示すように上方にすることで、空気清浄機７１から吹出した空気を直接人に当たらないようにすることができる。
【００９４】
以上のように構成したので、第１実施形態によれば、空気清浄機７１において、ルーバ７１４の構成として一対の羽板７１４ａ，７１４ｂを備え、状況に応じてルーバ７１４の羽板７１４ａ，７１４ｂを動作させて傾斜角度を変えることで、吹出し口７１４ｃの開口幅を変更したり、向きを変更することができるので、画像形成装置１００周辺や画像形成装置１００から遠く離れた所にイオンを含む空気を送り出すことができる。
【００９５】
従って、第１実施形態によれば、送風ファン７１１の出力を変更すること無く空気清浄機７１からの空気の吹出し状態を変更することができるので、空気清浄機の作動音を大きくすることなく、画像形成装置付近の空気清浄効果を上げて環境状態を良好にでき、また、空気清浄機の消費電力が増加することを軽減できる。
【００９６】
尚、第１実施形態では、空気清浄機７１により放出される正イオン及び負イオンの放出方向を、図２（ａ）に示すように矢印Ｄ方向の斜め下方に設定しているが、この正イオン及び負イオンの放出方向を矢印Ｄ方向だけに限定するものではなく、正イオン及び負イオンが画像形成装置１００を覆うように該画像形成装置１００側の向きに放出されるものであればよい。
【００９７】
また、第１実施形態では、正イオン及び負イオンの放出方向を、図２（ｂ）に示すように矢印Ｅ方向の上方向に設定しているが、この正イオン及び負イオンの放出方向をこの矢印Ｅ方向だけに限定するものではなく、正イオン及び負イオンが図２（ｂ）の一点鎖線で示す上側の向きの範囲Ｘに放出されれば、正イオン及び負イオンの放出方向を変更してもよい。更に、上側の向きの範囲Ｘだけに限らず、室内全体に拡散するような画像形成装置１００とは逆側の向きに正イオン及び負イオンの放出方向を変更してもよい。
【００９８】
また、第１実施形態によれば、空気清浄機７１を、図１及び図２（ａ）、（ｂ）に示すように支柱７２が本体の背面片側のコーナー１００ａに配置し、支柱７２により水平に片持ちとなるように構成したので、画像形成装置１００の上方スペースが開放されて、画像形成装置１００の使い勝手が損なわれることが無い。
【００９９】
また、第１実施形態によれば、画像形成装置１００を、その背面側を壁等に向けて配置することで、空気清浄機７１が画像形成装置１００の背面側に設けられているため、空気清浄機７１が壁際に配置されて作業の邪魔にならない。
【０１００】
（第２実施形態）
次に、本発明の第２実施形態について図面を参照して説明する。
図６は本発明の第２実施形態に係る空気清浄機の構成を示す説明図である。
尚、第２実施形態に係る画像形成装置の構成は、空気清浄機８１の構成を除き第１実施形態の画像形成装置１００と同様な構成を備えるものであるため説明を省略する。
【０１０１】
第２実施形態に係る空気清浄機８１は、第１実施形態に係る空気清浄機７１と同様に画像形成装置の本体の上方に設けられる。
【０１０２】
空気清浄機８１は、図６に示すように、主に、風を発生させる送風ファン８１１と、イオンを発生させるイオン発生器７１２と、螺旋形状を有する第１ダクト８１３ａと、螺旋形状を有しない第２ダクト８１３ｂと、送風経路を切換えるルーバ８１４とにより構成されている。
【０１０３】
また、空気清浄機８１には、上部に空気の吹出し部８１５が形成され、下部に空気の取込口８１６が形成されている。
【０１０４】
送風ファン８１１は、空気清浄機８１の下部に設けられ、吹出し口８１１ａがルーバ８１４によって第１ダクト８１３ａまたは第２ダクト８１３ｂと連通するようになっている。
【０１０５】
第１ダクト８１３ａ及び第２ダクト８１３ｂは、それぞれが吹出し部８１５と送風ファン８１１とを連通するように設けられている。
【０１０６】
吹出し部８１５においては、第１ダクト８１３ａと第２ダクト８１３ｂの吹出し側８１３ａ１，８１３ｂ１が合流するように設けられている。第１ダクト８１３ａと第２ダクト８１３ｂの吹出し側８１３ａ１，８１３ｂ１の合流部８１３ｃには、イオン発生器７１２が設けられている。
【０１０７】
螺旋形状を有する第１ダクト８１３ａの吹出し側８１３ａ１は、吹出し部８１５に向って直線的に吹出すように配置されている。一方、螺旋形状を有しない第２ダクト８１３ｂの吹出し側８１３ｂ１は、吹出し側８１３ａ１の下方より吹出し部８１５に向って吹出すように配置されている。
【０１０８】
送風ファン８１１の吹出し口８１１ａにおいては、第１ダクト８１３ａと第２ダクト８１３ｂの導入側８１３ａ２，８１３ｂ２が合流するように設けられている。第１ダクト８１３ａと第２ダクト８１３ｂの導入側８１３ａ２，８１３ｂ２の合流部８１３ｄには、ルーバ８１４が設けられている。
【０１０９】
ルーバ８１４は、先端部８１４ａが自由端として変位可能となるように他端部８１４ｂを回動支点として回動可能に設けられている。合流部８１３ｄにおいて、ルーバ８１４の先端部８１４ａが送風ファン８１１の吹出し口８１１ａに近接して配置され、他端部８１４ｂが合流部８１３ｄの反吹出し口側に近接して配置されて、ルーバ８１４により第１ダクト８１３ａ側と第２ダクト８１３ｂ側とを仕切るようになっている。
【０１１０】
ルーバ８１４の他端部８１４ｂは、図示しない駆動モータに接続されて、制御部７４により動作制御されている。
【０１１１】
制御部７４は、図示しない駆動モータによりルーバ８１４を回動させて送風経路を切換える制御手段（ルーバ制御手段）としての機能を備えている。
【０１１２】
ルーバ８１４は、他端部８１４ｂを回動させることで先端部８１４ａを変位させて、ルーバ８１４により第１ダクト８１３ａまたは第２ダクト８１３ｂの何れか一方の送風路を閉塞し、他方の送風路を開口することにより、送風ファン８１１から吹出される空気の送風経路を切換えるようになっている。
【０１１３】
次に、空気清浄機８１により空気の吹出し動作（作用）について図面を参照して説明する。
【０１１４】
空気清浄機８１は、図６に示すように、ルーバ８１４を回動させることにより、送風ファン８１１から吹出される空気を第１ダクト８１３ａまたは第２ダクト８１３ｂを通って吹出し部８１５より吹出すように送風経路を切換えようにしている。
【０１１５】
具体的には、空気清浄機８１からの空気を遠くへ吹出す場合は、螺旋形状を有する第１ダクト８１３ａにより風力を強めて遠くへ吹出すことができる。
【０１１６】
また、空気清浄機８１からの空気を画像形成装置１００付近に吹出す場合は、螺旋形状を有しないストレートの第２ダクト８１３ｂにより吹出し部８１５から吹出される空気が広がるようにすることができる。
【０１１７】
以上のように構成したので、第２実施形態によれば、空気清浄機８１において、螺旋形状を有する第１ダクト８１３ａと螺旋形状を有しない第２ダクト８１３ｂを備え、ルーバ８１４により送風ファン８１１からの送風経路を切換えるようにしたので、状況に応じて画像形成装置周辺や画像形成装置から遠く離れた所にイオンを含む空気を送り出すことができる。これにより、空気清浄機８１の作動音を大きくすることなく、空気清浄機８１からの空気の吹出し状態を変更することができるので、画像形成装置付近の空気清浄効果を上げて環境状態を良好にでき、また、空気清浄機の消費電力が増加することを軽減できる。
【０１１８】
また、第２実施形態によれば、吹出し部８１５より送風方向上流側の第１ダクト８１３ａと第２ダクト８１３ｂの吹出し側８１３ａ１，８１３ｂ１の合流部８１３ｃにイオン発生器７１２を設けたことで、送風経路を切換えても１箇所に設けられたイオン発生器７１２により効果的に吹出し部８１５からイオンを吹出させることができる。
【０１１９】
（第３実施形態）
次に、本発明の第３実施形態について図面を参照して説明する。
図７は本発明の第３実施形態に係る空気清浄機を備えた画像形成装置の全体の構成を示す説明図である。
尚、第３実施形態に係る画像形成装置３００の構成は、第１実施形態の画像形成装置１００と同様な構成を備えるものであるため説明を省略する。
【０１２０】
本実施形態に係る画像形成装置３００は、図７に示すように、空気清浄機７１を備えた第１実施形態の画像形成装置１００と同様な構成を備え、画像形成装置３００及び空気清浄機７１の正面に人感センサ３１０ａ，３１０ｂを備えたものである。
【０１２１】
制御部７４（図１を参照）は、人感センサ３１０ａ，３１０ｂによる検出結果に基づき、画像形成装置３００付近に人が居ると判断した場合は、ルーバ７１４の開口部を上方に向け、空気清浄機７１から吹出される空気を上方に吹出すように制御する。
【０１２２】
次に、画像形成装置３００における空気清浄機７１による空気の吹出し動作（作用）についてフローチャートに基づき説明する。
図８は第３実施形態に係る画像形成装置の空気清浄機による空気の吹出し動作を示すフローチャートである。
【０１２３】
第３実施形態の画像形成装置３００において空気清浄機７１により送風を行う場合は、図８に示すように、画像形成装置３００及び空気清浄機７１に設けられた人感センサ３１０ａ，３１０ｂにより検知して（ステップＳ１）、画像形成装置３００付近に人が居るか否かが判断される（ステップＳ２）。
【０１２４】
ステップＳ２において、画像形成装置３００付近に人が居ると判断された場合は、制御部７４によりルーバ７１４の吹出し口７１４ｃが上方に向くように駆動制御され（ステップＳ３）、送風ファン７１１からの空気を吹出し口７１４ｃから上方に吹出す（ステップＳ４）。
【０１２５】
一方、ステップＳ２において、画像形成装置３００付近に人がいないと判断された場合は、画像形成装置３００の運転時間により動作が管理されて、ルーバ７１４を下向きにするか、中央位置にするかを交互に切換えて送風される。そして、画像形成装置３００の運転が所定時間に到達しているか否かが判断される（ステップＳ５）。
【０１２６】
ステップＳ５において、画像形成装置３００の運転が所定時間に達していると判断された場合は、ルーバ７１４を中央位置に移動して（吹出し口７１４ｃの開口幅を広くして）（ステップＳ６）、空気清浄機７１からの吹出される空気を画像形成装置３００付近に全体に吹出す（ステップＳ７）。
【０１２７】
一方、ステップＳ５において、画像形成装置３００の運転が所定時間に達していないと判断された場合は、ルーバ７１４を下向きに移動して（吹出し口７１４ｃ開口幅を狭くして）（ステップＳ８）、空気清浄機７１からの吹出される空気を遠くに吹出す（ステップＳ９）。
【０１２８】
そして、画像形成装置３００の通電状態が判断される（ステップＳ１０）。
ステップＳ１０において、画像形成装置３００の電源がＯＦＦされていないと判断された場合は、ステップＳ１に戻って、上述した空気清浄機７１による送風動作が繰り返される。そして、ステップＳ１０において、画像形成装置３００の電源がＯＦＦされていると判断された場合は、終了する。
【０１２９】
以上のように構成したので、第３実施形態によれば、画像形成装置３００及び空気清浄機７１に人感センサ３１０ａ，３１０ｂを設けて、人感センサ３１０ａ，３１０ｂの検出結果に基づき、画像形成装置３００付近に人が居る場合は、空気清浄機７１から吹出される空気を上方に向い吹出すように制御することで、吹出された空気が直接人に当たらないようにすることができる。
【０１３０】
尚、第３実施形態では、画像形成装置３００及び空気清浄機７１に人感センサ３１０ａ，３１０ｂを設けることで検知精度を上げているが、画像形成装置３００または空気清浄機７１のどちらかに設けるようにしてもよい。
【０１３１】
（第３実施形態の変形例）
次に、第３実施形態に係る画像形成装置３００の変形例について説明する。
この変形例は、画像形成装置３００の構成において、空気清浄機７１に換えて空気清浄機８１を備えて、第３実施形態と同様に人感センサの検出結果に基づき、空気清浄機８１による空気の吹出し状態を制御するようにしたものである。
【０１３２】
すなわち、第３実施形態においては、空気清浄機７１のルーバ７１４の動作を制御することで、吹出し口７１４ｃの向う方向や開口幅を制御しているが、変形例では、空気清浄機８１のルーバ８１４の動作を制御することで、複数のダクトによる送風経路を切換えるようにしたものである。
【０１３３】
変形例は、図７に示すように、第３実施形態の画像形成装置３００と同様な構成を備え、画像形成装置３００及び空気清浄機８１の正面に人感センサ３１０ａ，３１０ｂを備えたものである。
【０１３４】
制御部７４（図１を参照）は、人感センサ３１０ａ，３１０ｂによる検出結果に基づき、画像形成装置３００付近に人が居ると判断した場合は、図示しないルーバ８１４の開口部を上方に向け、空気清浄機８１から吹出される空気を上方に吹出すように制御する。
【０１３５】
ここで、変形例における空気清浄機８１による空気の吹出し動作（作用）についてフローチャートに基づき説明する。
図９は第３実施形態の変形例の空気清浄機による空気の吹出し動作を示すフローチャートである。
【０１３６】
変形例において空気清浄機８１により送風を行う場合は、図９に示すように、画像形成装置３００及び空気清浄機８１に設けられた人感センサ３１０ａ，３１０ｂにより検知して（ステップＳ１０１）、画像形成装置３００付近に人が居るか否かが判断される（ステップＳ１０２）。
【０１３７】
ステップＳ１０２において、画像形成装置３００付近に人が居ると判断された場合は、駆動モータによりルーバ８１４を回動させて第１ダクト８１３ａを連通し（ステップＳ１０３）、空気清浄機８１からの吹出される空気を遠くに吹出す（ステップＳ１０４）。
【０１３８】
一方、ステップＳ１０２において、画像形成装置３００付近に人がいないと判断された場合は、駆動モータによりルーバ８１４を回動させて第２ダクト８１３ｂを連通し（ステップＳ１０５）、空気清浄機８１からの吹出される空気を画像形成装置３００付近に全体に吹出す（ステップＳ１０６）。
【０１３９】
そして、画像形成装置３００の通電状態が判断される（ステップＳ１０７）。
ステップＳ１０７において、画像形成装置３００の電源がＯＦＦされていないと判断された場合は、ステップＳ１０１に戻って、上述した空気清浄機８１による送風動作が繰り返される。そして、ステップＳ１０７において、画像形成装置３００の電源がＯＦＦされていると判断された場合は、終了する。
【０１４０】
以上のように構成したので、変形例によれば、画像形成装置３００及び空気清浄機８１に人感センサ３１０ａ，３１０ｂを設けて、人感センサ３１０ａ，３１０ｂの検出結果に基づき、画像形成装置３００付近に人が居る場合は、ルーバ８１４を切換えて螺旋形状を有する第１ダクト８１３ａに空気を送り込むように制御することで、吹出された空気を遠くに吹出すようにして直接人に当たらないようにすることができる。
【０１４１】
尚、変形例では、画像形成装置３００及び空気清浄機８１に人感センサ３１０ａ，３１０ｂを設けることで検知精度を上げているが、画像形成装置３００または空気清浄機８１のどちらかに設けるようにしてもよい。
【０１４２】
以上、本発明の好適な実施形態について説明したが、本発明は、上述した実施形態及びその変形例に限定されるものではなく、請求項に示した範囲で種々の変更が可能であり、上述した実施形態において開示された各技術的手段を適宜組み合わせて得られる実施形態についても本発明の技術的範囲に含まれる。
【０１４３】
例えば、上述した実施形態では、カラー用の画像形成装置（複合機、プリンタなど）に本発明が適用されているが、空気清浄機を備えるものであれば、モノクロ用の画像形成装置等のその他の画像形成装置に本発明を適用することも可能である。
【符号の説明】
【０１４４】
７１，８１  空気清浄機
７４  制御部（ルーバ制御手段）
８５  イオン発生素子
８５ａ  正イオン発生部
８５ｂ  負イオン発生部
１００，３００  画像形成装置
３１０ａ，３１０ｂ  人感センサ
７１１  送風ファン
７１２  イオン発生器
７１３  ダクト
７１４  ルーバ
７１４ａ，７１４ｂ  羽板（板状部材）
７１４ａ１，７１４ｂ１  先端部
７１４ａ２，７１４ｂ２  他端部
７１４ｃ  吹出し口
７１５  吹出し部
８１１  送風ファン
８１３ａ  第１ダクト
８１３ｂ  第２ダクト
８１３ｃ，８１３ｄ  合流部
８１４  ルーバ
８１５  吹出し部
【図１】
0005404348.tif 000002
【図２】
0005404348.tif 000003
【図３】
0005404348.tif 000004
【図４】
0005404348.tif 000005
【図５】
0005404348.tif 000006
【図６】
0005404348.tif 000007
【図７】
0005404348.tif 000008
【図８】
0005404348.tif 000009
【図９】
0005404348.tif 000010